(57)【要約】  本発明は、脱毛に関し、特にハンドヘルド型脱毛装置に関する。脱毛の間の痛みを低減させるため、ハンドヘルド型脱毛装置１０は、脱毛構成１２と、支持構造１４と、該支持構造に装着され、皮膚と接触し皮膚を伸長させるための少なくとも２つの先行面部１８ａ、１８ｂを有する、皮膚伸長装置１６と、を有する。該装置は、前記装置が使用の間に皮膚に対して動かされる主移動方向２６を持つ。該脱毛構成は、動作の間にユーザの皮膚に接触するための皮膚接触部３０を有し、該皮膚接触部は、主移動方向２６に垂直に延在する主軸３２に少なくとも沿って延在する。該少なくとも２つの先行面部は、基線２７を有し主移動方向２６に平行に延在する仮想面でみて、基線２７に対し少なくとも２０°で反対方向に傾斜して配置され、該基線は、該主移動方向に垂直で該主軸に平行な線であり、該少なくとも２つの先行面部はそれぞれ、皮膚接触面部３４ａ、３４ｂを備え、該皮膚接触面部は、前記仮想面でみて、少なくとも２０°の角度だけ該基線に対して傾斜した延在の主方向を持つ。動作の間、該先行面部は皮膚に接触させられ、該主移動方向に平行な第１の方向Ｙにおいて、皮膚の面に平行な第１のベクトル３８と、該主移動方向に垂直な第２の方向Ｘにおいて、皮膚の面に平行な第２のベクトル４０と、を持つ押し力４２を皮膚に作用させる。動作位置において、該皮膚伸長装置は、該主移動方向に対して該皮膚接触部の前方に配置される。動作の間、該皮膚伸長装置は、該少なくとも２つの先行面部の間に伸長された皮膚部分をもたらす。
2017504419.tif 000002
【特許請求の範囲】
【請求項１】
ハンドヘルド型脱毛装置であって、
前記装置が使用の間に皮膚に対して動かされる主移動方向と、
動作の間にユーザの皮膚に接触するための皮膚接触部を有し、記皮膚接触部は、前記主移動方向に垂直に延在する主軸に少なくとも沿って延在するする、脱毛構成と、
前記脱毛構成を支持するための支持構造と、
前記支持構造に装着され、皮膚と接触し皮膚を伸長させるための少なくとも２つの先行面部を有し、前記少なくとも２つの先行面部はそれぞれ、皮膚接触面部を備える、皮膚伸長装置と、
を有する脱毛装置において、前記少なくとも２つの先行面部は、基線を有し前記主移動方向に平行に延在する仮想面でみて、前記基線に対し少なくとも２０°で反対方向に傾斜して配置され、前記基線は、前記主移動方向に垂直で前記主軸に平行な線であり、前記皮膚接触面部は、前記仮想面でみて、少なくとも２０°の角度だけ前記基線に対して傾斜した延在の主方向を持ち、前記主移動方向において、前記先行面部は、互いに対して向けられ、
動作位置において、前記皮膚伸長装置は、前記主移動方向に対して前記皮膚接触部の前方に配置され、
前記少なくとも２つの先行面部は、動作の間、皮膚に接触させられ、前記主移動方向に平行な第１の方向において、皮膚の面に平行な第１のベクトルと、前記主移動方向に垂直な第２の方向において、皮膚の面に平行な第２のベクトルと、を持つ押し力を皮膚に作用させるよう構成及び配置される、装置。
【請求項２】
前記少なくとも２つの先行面部はそれぞれ、弓型構造の少なくとも一部として前記支持構造から延在する、請求項１に記載の装置。
【請求項３】
前記少なくとも２つの先行面部は、開いた前方部を持つ弓型構造として備えられる、請求項２に記載の装置。
【請求項４】
前記少なくとも２つの先行面部は、前記主移動方向において前方に面する外形に対する凸状構造を備えた、請求項１乃至３のいずれか一項に記載の装置。
【請求項５】
前記少なくとも２つの先行面部は、前記主移動方向に対して隆起した前方部を備えた表面構造を備えた、請求項１乃至４のいずれか一項に記載の装置。
【請求項６】
前記押し力の第２のベクトルの大きさが、前記押し力の第１のベクトルの大きさの少なくとも２５％である、請求項１乃至５のいずれか一項に記載の装置。
【請求項７】
前記少なくとも２つの先行面部は、
前記主移動方向に対して傾いた角度、及び／又は
それぞれの前記先行面部の主な延在の方向に対して傾いた角度
を備えた隆線を持つ表面構造を備えた、請求項１乃至６のいずれか一項に記載の装置。
【請求項８】
前記少なくとも２つの先行面部は、前記先行面部が皮膚表面上を動くときに、水放散効果を提供することが可能な柔軟な表面材料を備えた、請求項１乃至７のいずれか一項に記載の装置。
【請求項９】
前記少なくとも２つの先行面部は、分散された接触圧力を持つ皮膚接触を実現するよう、前記支持構造に対して弾力的な態様で備えられ、
前記少なくとも２つの先行面部は、少なくとも前記接触圧力の方向において、前記支持構造に対して、前記少なくとも２つの先行面部の相対的な動きを可能とする可動的な態様で、前記支持構造に装着された、請求項１乃至８のいずれか一項に記載の装置。
【請求項１０】
前記皮膚伸長装置は、前記支持構造に着脱可能に装着された、請求項１乃至９のいずれか一項に記載の装置。
【請求項１１】
前記支持構造に着脱可能に装着されることができる複数の皮膚伸長装置が備えられ、
前記複数の皮膚伸長装置は、サイズ、形状及び材料の少なくとも１つが異なる、請求項１０に記載の装置。
【請求項１２】
前記少なくとも２つの先行面部は、皮膚の伸長に後続した脱毛のための準備において皮膚が伸長される動作領域として、皮膚の領域を境界付ける、請求項１乃至１１のいずれか一項に記載の装置。
【請求項１３】
前記動作領域に存在する皮膚の少なくとも一部を照明するための照明が備えられた、請求項１２に記載の装置。
【請求項１４】
前記脱毛構成は、前記主移動方向に垂直に延在する長軸を持つ脱毛要素を有し、
前記脱毛装置は毛抜き器であり、前記脱毛要素は、前記長軸のまわりに回転可能であり、毛を捕捉しクランプし皮膚から引き抜くための幾つかの毛クランプ部材を持つか、又は、
前記脱毛装置はシェーバであり、前記脱毛要素は、少なくとも１つの毛切断部材を備えたシェービングヘッドである、
請求項１乃至１３のいずれか一項に記載の装置。
【請求項１５】
前記主軸に平行な方向でみて、前記脱毛構成は、第１の長さを持ち、前記少なくとも２つの先行面部はそれぞれ、前記脱毛構成の前記第１の長さの少なくとも２０％である第２の長さを持つ、請求項１乃至１４のいずれか一項に記載の装置。
【発明の詳細な説明】
【技術分野】
【０００１】
本発明は、脱毛に関し、特にハンドヘルド型脱毛装置に関する。
【背景技術】
【０００２】
例えば腕又は脚の皮膚部分のような身体面から脱毛することは、知られている。斯かる脱毛のため、ハンドヘルド型のモータ駆動型装置が使用される。例えば、モータ駆動型の毛抜き器又はシェーバが広く用いられている。しかしながら、脱毛は、ユーザが痛みを経験し得る手順となり得る。国際特許出願公開WO2009/150607A1において、毛が皮膚から抜かれる直前（又は脱毛の後）に皮膚に対する刺激が、マッサージローラを持つ毛抜き器の形で提供される。該マッサージローラは、互いに対してＶ字型に配置された単純なマッサージ要素の対を有する。更なる例として、国際特許出願公開WO2009/104124A2は、振動のための毛抜き器の駆動手段に結合された交換可能なキャップを備えた毛抜き器であって、該毛抜き器のユーザが皮膚において振動を体感するようにされた毛抜き器を記載している。該振動は、脱毛される前に、皮膚が少なくとも部分的に麻痺させられるようにし得る。更なる例として、皮膚の表面上でシェーバのせん断ヘッドをより滑らかに動かすため、米国特許US3127675は、せん断ヘッドに平行に装着された皮膚伸長器を記載している。該伸長器の皮膚当接部とシェービングヘッドとの間に、調節可能な間隙が提供される。該皮膚伸長器端が該間隙の形状を定義し、皮膚がどれだけ伸長されるかを調節することを可能とし、例えば、間隙を中間部において広くなるよう適合させることにより、該皮膚伸長器の中間部において、あまり大きくない皮膚の伸長が実現される。しかしながら依然として脱毛の間、幾分不快である程度に痛みが体感され得る。
【発明の概要】
【発明が解決しようとする課題】
【０００３】
斯くして、脱毛を更に容易化しユーザフレンドリ性を増大させるニーズが存在し得る。
【課題を解決するための手段】
【０００４】
本発明の目的は、独立請求項の主題により達成され、更なる実施例が、従属請求項において組み込まれる。
【０００５】
本発明の第１の態様によれば、ハンドヘルド型脱毛装置であって、前記装置が使用の間に皮膚に対して動かされる主移動方向と、動作の間にユーザの皮膚に接触するための皮膚接触部を有する脱毛構成と、前記脱毛構成を支持するための支持構造と、皮膚伸長装置と、を有する脱毛装置が提供される。前記皮膚接触部は、前記主移動方向に垂直に延在する主軸に少なくとも沿って延在する。前記皮膚伸長装置は、前記支持構造に装着され、皮膚と接触し皮膚を伸長させるための少なくとも２つの先行面部を有する。前記少なくとも２つの先行面部はそれぞれ、皮膚接触面部を備える。前記少なくとも２つの先行面部は、基線を有し前記主移動方向に平行に延在する仮想面でみて、前記基線に対し少なくとも２０°で反対方向に傾斜して配置され、前記基線は、前記主移動方向に垂直で前記主軸に平行な線である。前記皮膚接触面部は、前記仮想面でみて、少なくとも２０°の角度だけ前記基線に対して傾斜した延在の主方向を持つ。前記主移動方向において、前記先行面部は、互いに対して向けられている。動作位置において、前記皮膚伸長装置は、前記主移動方向に対して前記皮膚接触部の前方に配置される。前記少なくとも２つの先行面部は、動作の間、皮膚に接触させられ、前記主移動方向に平行な第１の方向において、皮膚の面に平行な第１のベクトルと、前記主移動方向に垂直な第２の方向において、皮膚の面に平行な第２のベクトルと、を持つ押し力を皮膚に作用させるよう構成及び配置される。
【０００６】
有利にも、該皮膚伸長器は、皮膚のドーム形成の度合いを低減させ、脱毛工程の位置において皮膚を張らせる。低減された度合いのドーム形成は、例えば毛抜き器の回転毛抜きシリンダ又はシェービング若しくはトリミング用の刃を有する脱毛構成による皮膚における摩擦も低減させる。更なる利益として、該皮膚伸長器は、脱毛工程において捕捉することが困難である平坦に倒れた毛を持ち上げる。
【０００７】
先行面部は、該装置が動作の間に主移動方向において皮膚上を動かされているときに、皮膚に接触する第１の部分である、皮膚伸長装置の部分に関連する。
【０００８】
該先行面部は、皮膚接触及び伸長部とも呼ばれ得る。
【０００９】
動作の間、該皮膚伸長装置は、少なくとも２つの先行面部間に伸長された皮膚部をもたらす。
【００１０】
有利にも、皮膚は、該脱毛装置の主移動方向と、該脱毛装置の主移動方向に垂直な方向と、の両方において伸長される。主移動方向における皮膚の伸長は、２つの先行面部により主移動方向において前方に皮膚を押すことによって、また更に少なくとも或る程度は、皮膚伸長装置と皮膚との間の摩擦の結果として、達成される。主移動方向に垂直な方向における皮膚の伸長は、先行面部の傾いた構成の結果として達成され、該傾いた構成は、皮膚が主移動方向から逸れるよう押されるようにする。
【００１１】
斯くして、該押し力は２つのベクトル又は成分を持つ。それ故、該押し力は、２ベクトル押し力、又は２つの異なる方向に成分を持つ押し力と呼ばれ得る。斯くして、該押し力は、二方向の伸長をもたらす。従って、皮膚伸長装置は、二方向皮膚伸長装置である。
【００１２】
一例においては、基線に対する先行面部の傾斜は、少なくとも３０°であり、より好適には少なくとも４５°である。該先行面部は、１２０°以下（例えば９０°）で当接する位置において前方部又は弓部を形成し得る。
【００１３】
一例において、皮膚接触部は、幾何学的な広がりを持ち、例えば円形のような丸みのあるシェービングヘッドの場合、丸みのある皮膚接触部となる。
【００１４】
一例によれば、前記少なくとも２つの先行面部はそれぞれ、弓型構造の少なくとも一部を形成するよう、前記支持構造から延在する。
【００１５】
「弓型」なる語は、弓の高さ、即ち基線からの該弓の伸長が、基線の長さの少なくとも４分の１である形状に関連する。
【００１６】
一例によれば、前記少なくとも２つの先行面部はあわせて、開いた前方部を持つ弓型構造を形成するよう備えられる。
【００１７】
換言すれば、前方部は該先行面部により形成されないため、該弓は仮想的な弓である。
【００１８】
一例においては、前記少なくとも２つの先行面部は、閉じた前方部を持つ弓型構造として備えられる。
【００１９】
弓型構造は、第１の及び第２のベクトルを持つ押し力を提供するという利点を持つ。
【００２０】
一例によれば、前記少なくとも２つの先行面部は、前記主移動方向において前方に面する外形に対する凸状構造を備える。
【００２１】
有利にも、皮膚面が前方方向に押され、ユーザの快適な体感を向上させる態様で側方にも押される。
【００２２】
一例によれば、前記押し力の第２のベクトルの大きさは、前記押し力の第１のベクトルの大きさの、少なくとも２５％である。その結果、前記少なくとも２つの先行面部は、主移動方向における皮膚の伸長の度合いの少なくとも２５％である、主移動方向に垂直な方向における皮膚の伸長の度合いをもたらす。
【００２３】
一例によれば、前記押し力の第２のベクトルの大きさは、前記押し力の第１のベクトルの大きさよりも大きく、これにより、主移動方向に垂直な方向における皮膚の伸長の度合いが、主移動方向における皮膚の伸長の度合いよりも大きくなる。
【００２４】
主移動方向に垂直な方向に、即ち側方に、より皮膚を伸長させることは、更に容易化され改善された脱毛を実現する。
【００２５】
一例によれば、前記脱毛構成は、前記主移動方向に垂直に延在する長軸を持つ脱毛要素を有する。該脱毛装置は、毛抜き器又はシェーバである。毛抜き器である場合、該脱毛要素は、該長軸のまわりに回転可能であり、毛を捕捉しクランプし皮膚から引き抜くための幾つかの毛クランプ部材を持つ、毛抜きシリンダである。該脱毛装置がシェーバである場合、前記脱毛要素は、少なくとも１つの毛切断部材を備えたシェービングヘッドである。
【００２６】
他の例においては、前記脱毛構成は、丸みのある形状を持つ脱毛要素を有する。例えば、該丸みのある脱毛要素は、丸みのあるシェービングヘッドである。
【００２７】
一例によれば、主軸に平行な方向でみて、前記脱毛構成は第１の長さを持ち、前記少なくとも２つの先行面部はそれぞれ、前記脱毛構成の第１の長さの少なくとも２０％である第２の長さを持つ。本例においては、「長さ」なる表現は、該脱毛構成及び該先行面部がそれぞれ主軸に平行な方向に延在する距離を意味し、それぞれ、主軸に平行な方向でみた該脱毛構成及び該先行面部における２つの最終位置の間の距離に対応する。本例においては、該先行面部はそれぞれ、該脱毛構成が主軸に平行に延在する長さの少なくとも２０％である、主軸に平行な長さに亘って延在するため、該２つの先行面部は、動作の間に該脱毛構成の前方である皮膚面のかなりの部分に皮膚伸長効果をもたらす。
【００２８】
本発明による装置による脱毛工程においては、上述した例のひとつによるハンドヘルド型脱毛装置が、除去されるべき毛を持つ皮膚面に沿って動かされる。その結果、皮膚の一部が、皮膚伸長装置によって伸長される。次いで、該伸長された皮膚部分から毛が除去される。有利にも、伸長された皮膚部分からはあまり痛みを伴わずに毛が除去されることができ、脱毛が容易化される。
【００２９】
本発明のこれらの及び他の態様は、以下に説明される実施例を参照しながら説明され明らかとなるであろう。
【００３０】
本発明の実施例は、以下の図面を参照しながら、以下に説明される。
【図面の簡単な説明】
【００３１】
【図１】本発明によるハンドヘルド型脱毛装置の例の模式的な斜視図を示す。
【図２】図１の装置の更なる斜視図を示す。
【図３】図１及び２の装置の更なる斜視図を示す。
【図４】脱毛機構及び皮膚伸長装置を示す、図１乃至３の装置の模式的な図を示す。
【図５】本発明によるハンドヘルド型脱毛装置の隣に、脱着された皮膚伸長装置を示す。
【図６（Ａ）】第１の例における皮膚伸長装置の詳細を示す。
【図６（Ｂ）】第２の例における皮膚伸長装置の詳細を示す。
【図７】本発明によるハンドヘルド型脱毛装置の動作の間の態様の模式的な図を示す。
【図８】本発明によるハンドヘルド型脱毛装置の更なる例を示す。
【発明を実施するための形態】
【００３２】
図１は、脱毛構成１２（図３及び４に更に示される）、該脱毛構成を支持するための支持構造１４（更に詳細には図示されない）、及び支持構造１４に装着され少なくとも２つの先行面部１８ａ及び１８ｂを有する皮膚伸長装置１６を有する、ハンドヘルド型脱毛装置１０を示す。図１において、脱毛装置１０は、動作の間の構成に類似した、面に対して直立した位置に示されている。
【００３３】
図３を参照すると、脱毛構成１２は、動作の間にユーザの皮膚に接触するための皮膚接触部３０を有する。皮膚接触部３０は少なくとも、使用の間に皮膚に対して装置１０が動かされる主移動方向２６（図１に示される）に垂直に延在する主軸２３に沿って延在する。主軸３２は、図７の図面の平面に垂直、即ち紙面に垂直であることに留意されたい。
【００３４】
主移動方向２６に平行に延在し基部２７を有する仮想面でみて、該少なくとも２つの先行面部は、基線２７と少なくとも２０°の傾斜角αの対角に配置され、ここで該基線は、該装置の主移動方向２６に垂直で、且つ脱毛構成１２の皮膚接触部３０の主軸３２に平行な線である。図１において、主移動方向２６の軸が基線２７と交差しており、前記仮想面は、基線２７及び主移動方向２６の軸を通って延在する面である。図１に示されるように、傾斜の角度αは、当該仮想面のなかに存在する。更に、主移動方向２６において、該先行面部は、互いに向けられる。更に、動作位置においては、該皮膚伸長装置は、主移動方向に対して皮膚接触部の前方となるように配置される。
【００３５】
該先行面部は、該装置の前方の皮膚が伸長されるような態様で、主移動方向において前方に皮膚を押す。
【００３６】
脱毛装置１０は、人間の皮膚における体毛を機械的に除去するためのハンドヘルド型装置である。該脱毛装置は、個人向けの利用のための家庭用電気機器であっても良い。該脱毛装置はまた、プロフェッショナルな脱毛スタジオ又はその他の施設におけるような、プロフェッショナル向けの利用のための電気機器であっても良い。
【００３７】
一例においては、図に示されるように、該装置は毛抜き器である。
【００３８】
更なる例においては、図には更には示されないが、該装置はシェーバ又はトリマである。
【００３９】
「体毛」なる語は、人間の身体の表面における毛に関する。従って、体毛は頭髪とは区別される。該脱毛装置の意図される用途は、主に体毛の除去であるが、頭髪も、少なくとも理論的には、該装置によって除去され得る。
【００４０】
「支持構造」は、本体構造とも呼ばれ、該装置の種々の要素が装着される支持構造に関する。支持構造１４は、図に示されるように、筐体構造２０により少なくとも部分的に囲まれた別個の構造として備えられても良い。支持構造１４は、１つの構造的な要素として備えられても良いし、又は、互いに対して物理的に直接若しくは間接的に結合された幾つかの構造的な部品又は要素として備えられても良い。
【００４１】
支持構造１４は、長細の支持部又は本体部構造として備えられても良い。「長細」なる語は、優位な長手方向の長さを持つ、即ち或る方向において該方向を横切る方向よりも長い長さを持つ構造に関する。支持構造１４は、人間工学的に適切な形状を備えた長手方向の形状を持っても良い。「人間工学的に適切」なる語句は、好適には片手での操作のため、ユーザによるハンドヘルド型の動作のために適合された形状に関する。
【００４２】
支持構造１４は、該装置の把持部又はハンドル部として、即ち該装置の手動の操作のためユーザの手により把持され得る部分として、構成されても良い。「手動の操作」なる語句は、該装置の手動の操作に関し、例えばバッテリにより動作させられるような機械的に実行され得る脱毛の手順には関連しない。
【００４３】
把持部２０は、該装置を保持するため備えられる。把持部２０は、本体構造に接続され、主移動方向において皮膚に対して該装置を手動で動かすため、及び皮膚に対して該装置を手動で押し付けるために、該装置に沿って備えられる。
【００４４】
「把持部」は、該脱毛装置を手動で保持するためユーザにより用いられ得る該装置の領域に関する。把持部は、安定的な手による保持、及び該装置の動作の間に適切な手の感覚を提供する、ゴム部又はその他の適切な材料により被覆された面のような、別個の把持面を備えた筐体の一部であっても良い。
【００４５】
「沿って」なる語は、外側筐体面の領域の中央部におけるような、又は該脱毛装置が備えられる端とは反対側の該装置の端におけるような、該装置の外側面における配置に関する。本体構造の「端」は、長細構造の短い端又は面のような、該装置の端部又は端領域に関する。
【００４６】
更に、図２に示されるように、制御スイッチ２２が備えられても良く、制御又は動作照明２４が追加されても良い。更に、例えば該装置に内蔵された充電可能なバッテリを充電するための、電源ケーブルに接続するためのソケット２３が備えられても良い。
【００４７】
ここで図７を参照すると、動作の間、装置１０の主移動方向２６が示される。主移動方向２６は、例えば毛が除去されるべき皮膚部分２８に対して示される。
【００４８】
垂直方向の伸長がない場合、毛抜き器を前方に動かすことにより、皮膚は長手方向に伸長され、これにより、該毛抜き器の前方への押し及び関連する摩擦が、該毛抜き器の速度Ｖｅｐｉｌａｔｏｒの１／ｘ倍で皮膚を該毛抜き器に沿って動かす。その結果、Ｖｓｋｉｎ＝Ｖｅｐｉｌａｔｏｒ／ｘとなる。ｘの値はストロークに依存し、最初は皮膚は同じ速度で動き、即ちｘ＝１である。また、皮膚は周囲の皮膚に付着されているため、無制限に押されることはできない。ｘの値はｘ＞１となるまで急速に増大し、該毛抜き器が動くセンチメートル毎に、皮膚のセンチメートルは該構造の下を通過する。比較的緩い皮膚の場合、皮膚伸長器は、該皮膚伸長器の前方における弓型の波の上を越える。しかしながら、垂直な伸長の場合には、皮膚は皮膚伸長器によって前方には押されず、主に側方に押される。
【００４９】
脱毛に関しては、皮膚を伸長することにより、皮膚は張られた状態となり、それにより、ディスクにより毛が引っ張られるときの皮膚のドーム形成が低減され、あまり痛みを引き起こさなくなる。減少させられた接触面積のため、ディスクによる皮膚に対する摩擦も低減される。シェーバの場合には、伸長器は、トリマの歯の先端による皮膚への損傷を防止し、トリマの歯、ホイル及び層板の間の皮膚ドーム形成を防止することができる。
【００５０】
少なくとも２つの先行面部１８ａ及び１８ｂはそれぞれ、３４ａ及び３４ｂで示された皮膚接触部３４を備える。主移動方向２６に平行に延在し基線２７を有する仮想面でみて、皮膚接触部３４は、主軸３２に平行に延在する基線と少なくとも２０°の傾斜の角度で配置された２つの皮膚接触部の一方３４ａについて二重矢印３６により示された、延在の主方向を持つ。
【００５１】
図において選択肢として示される一例においては、少なくとも２つの先行面部１８ａ及び１８ｂは、弓型構造５０の少なくとも一部として支持構造から延在する。
【００５２】
更なる例においては、少なくとも２つの先行面部１８ａ及び１８ｂは、開いた前方部を備えた弓型構造５０として備えられる。
【００５３】
更に他の例においては、少なくとも２つの先行面部１８ａ及び１８ｂは、閉じた前方部を備えた弓型構造５０として備えられる。
【００５４】
一例においては、該先行面部は、例えば図４に示されるような、尖った弓型構造として備えられる。他の例においては、該先行面部は、緩い弓型構造として備えられる。該弓型の構造は、半円形の幾何形状、放物線状、又は双曲線状のような、弓型の形状を持つ構造に関する。弓型の構造はまた、Ｖ字型の形をとる半円形の腕部を有しても良い、Ｖ字型の弓（更には示されない）に関連しても良い。Ｖ字型の弓は、Ｖ字型の形をとる直線の腕部を有しても良い。更なる例においては、Ｖ字型の腕部は、動作の間に皮膚に作用する押し力が生成され得る限り、組み合わせとして又は自由な幾何学的形状として備えられる。
【００５５】
図４は、下方からみた脱毛装置１０（図１の直立構成に関連して）を示し、即ち図４は、該装置が置かれた皮膚からみた脱毛装置１０を示す。
【００５６】
一例においては、少なくとも２つの先行面部は、図６Ｂに示されるように開いたＶ字形状を持つよう備えられる。図６Ｂにおいては、毛抜きシリンダが示されていないことに留意されたい。
【００５７】
他の例においては、少なくとも２つの先行面部は、図６Ａに示されるように閉じたＶ字型の弓型部として備えられる。
【００５８】
一例においては、少なくとも２つの先行面部は、単一部品の接触及び伸長要素として備えられ、即ち、該少なくとも２つの先行面部は、単一部品の接触及び伸長要素に備えられる。
【００５９】
一例においては、該脱毛装置は、図５に示されるような、該装置のヘッド部に備えられる。少なくとも２つの先行面部１８は、主移動方向２６に対して前方方向において該ヘッド部から延在するよう備えられる。
【００６０】
一例においては、該少なくとも２つの先行面部は、船体の前方部の形をとって備えられ、即ち船首の形をとる。船の長軸（即ち船の直線の前方方向に等しい方向）はこのとき、主移動方向に整合される。
【００６１】
一例においては、３個以上（例えば４個、５個若しくは６個又はそれ以上）の接触及び伸長部が備えられる（更には示されない）。
【００６２】
図において選択肢として示される更なる例においては、少なくとも２つの先行面部１８は、主移動方向２６において前方に面する外形に対する凸状構造を備える。
【００６３】
図５に示されるように、一例においては、該少なくとも２つの先行面部は、可動的な態様で支持構造に装着され、少なくとも皮膚接触圧力の方向における該支持構造に対する該少なくとも２つの先行面部の相対運動を可能とする。該可動的な態様は、例えば５°、１０°又は１５°のような、少なくとも小さな度合いの屈曲を可能とする。
【００６４】
更なる例によれば、即ち一選択肢として、該皮膚伸長装置は、支持構造に着脱可能に装着される。好適には、支持構造に着脱可能に装着されることができる複数の皮膚伸長装置が備えられる。備えられる複数の皮膚伸長装置は、サイズ、形状及び材質のうち少なくとも１つが異なる。
【００６５】
一例においては、該皮膚伸長装置は、一時的に脱着されても良い。更なる例においては、該皮膚伸長装置は、伸長位置と、皮膚がもはや短縮又は伸長されない保持又は停止位置との間で、動かされても良い。このことは例えば、支持構造における滑動支持部又は枢動支持部によって実現されも良い（更には図示されない）。
【００６６】
一例においては、種々の皮膚伸長装置のひとつを一時的に装着するためのクリッピング構成が備えられる。
【００６７】
更なる例においては、図５において選択肢として示されるように、支持構造又は筐体構造に装着され得る、キャップ５８が備えられる。少なくとも２つの先行面部１８は、該キャップに装着される。該キャップは、図５に示されるように、着脱可能であっても良い。
【００６８】
本発明によれば、動作の間、少なくとも２つの先行面部１８ａ及び１８ｂは、主移動方向２６に平行な第１の方向Ｙにおいて、皮膚面に平行な第１のベクトル３８を持つ押し力４２で、皮膚に作用するよう、皮膚に接触させられる。押し力４２は、主移動方向２６に垂直な第２の方向Ｘにおいて、同様に皮膚面に平行な第２のベクトル４０も持つ。（実質的な）押し力は、図６Ａにおいて更に示されている。しかしながら、該押し力のそれぞれの説明は、特に図６Ｂに示された例のような、他の実施例についても適用可能であることに留意されたい。
【００６９】
図６Ａに示されるように、押し力４２は斯くして、結果の力として作用し、結果の力Ｆとも示される。
【００７０】
以上に示されたように、動作位置において、皮膚伸長装置１６は、主移動方向２６に対して、図７に示されるように、皮膚接触部３０の前方に配置される。動作の間、皮膚伸長装置は、少なくとも２つの先行面部１８ａ、１８ｂ間において伸長された皮膚部をもたらす。
【００７１】
本発明によれば、皮膚接触面部３４ａ、３４ｂのそれぞれは、基線２７を有し主移動方向２６に平行な仮想面でみて、主軸３２及び該主軸に平行に延在する基線に対して傾いた、及びその結果、主移動方向２６に対して傾いた、長さの主方向を持つ。
【００７２】
皮膚接触面部は、皮膚当接面部とも示され得る。
【００７３】
「傾いた（傾斜した）」なる語は、横方向の構成、即ち、主移動方向に整合しておらず（即ち平行でなく）、主移動方向に対して垂直でもない構成、又は、主軸に垂直ではなく、主軸に整合もしていない（即ち平行ではない）構成に関する。
【００７４】
以上に示されたように、「脱毛構成」なる語は、脱毛要素とも示され、例えば切断、トリミング又は脱毛により、体毛を除去する要素に関する。該装置が脱毛要素である場合、単に例として図に模式的に示されたように、脱毛構成１２は、脱毛要素である。例えば、脱毛要素は、主軸３２に平行に延在する長軸のまわりに回転可能であり、図３に示されるように、毛を捕捉しクランプし皮膚から引き抜くための幾つかの毛クランプ部材を持つ、毛抜きシリンダである。
【００７５】
該機器がシェーバ又はトリマである場合、該脱毛構成は、シェーバ又はトリマ要素である。例えば該シェーバ又はトリマ要素は、少なくとも１つの毛切断部材を備えたトリミング又はシェービングヘッドであっても良い。
【００７６】
「主移動方向」は、主脱毛方向とも示され、該装置により除去される必要がある毛が存在する皮膚の位置に対して該装置が動かされるべき方向に関する。斯くして、主移動方向は、相対的な方向である。一例においては、脱毛構成が、把持部とあわせて、主移動方向を定義する。換言すれば、主移動方向は、脱毛構成自体により定義され、通常の、予め規定された又は最適な動作のために、皮膚に対してユーザが該装置を動かす必要がある方向に対応する。例えば、脱毛構成は、直線の軸又は長細の形状即ち長手方向の寸法を持つ形状を持っても良く、これにより、主移動方向が、該直線の軸又は長手方向に垂直となっても良い。例えば、主移動方向は、該長手方向に垂直である。このことは、脱毛動作の間の最大のカバー範囲をもたらす。
【００７７】
動作の間、図７に示されるように、該装置は相対移動速度Ｖｅｐｉｌａｔｏｒで動かされ、又はより一般的には、該装置は主移動方向２６に動かされる。押し動作及び更には先行面部１８の摩擦により、相対運動４６又はＶｓｋｉｎは、面即ち皮膚２８に沿ったものであるが側方に向けられたベクトル成分を持つ摩擦運動により、ユーザの皮膚にもたらされる。
【００７８】
図６Ａにおいて、結果的な皮膚の構造が、皮膚のリップル４４についての模式的な線により示される。皮膚のリップル４４の構成は、押し力４２、即ち結果の力Ｆの方向に皮膚が押されていることを反映する。
【００７９】
図において一選択肢として示されている更なる例においては、少なくとも２つの先行面部１８は、主移動方向２６に対して、図７に示されるように、隆起した前方部５２を備えた表面構造を備えられる。一例においては、該前方部は、該先行面部の長さの約５％に亘って、若しくは１０％、１５％、２０％、２５％、３０％、４０％、５０％に亘って又はこの間のいずれかの値で延在する、先端部として備えられる。
【００８０】
上述したように、一例においては、押し力４２の第２のベクトルの大きさは、押し力４２の第１のベクトルの大きさの、少なくとも２５％である。その結果、少なくとも２つの先行面部１８ａ及び１８ｂは、主移動方向２６に垂直な方向Ｘにおける皮膚伸長の度合いが、該主移動方向に平行な方向Ｙにおける皮膚伸長の度合いの少なくとも２５％となるような、皮膚の伸長をもたらす。換言すれば、少なくとも主移動方向２６に垂直な方向Ｙに特に皮膚が伸長されるような度合いで、側方の伸長がもたらされる。
【００８１】
他の例においては、押し力４２の第２のベクトルの大きさは、押し力４２の第１のベクトルの大きさよりも大きく、これにより、主移動方向２６に垂直な方向Ｘにおける皮膚の伸長が、主移動方向２６に平行な方向Ｙにおける皮膚の伸長を上回るようにもたらされる。換言すれば、前方よりも側方に伸長がもたらされる。
【００８２】
他の例においては、主移動方向における皮膚の伸長は、主移動方向に垂直な方向における皮膚の伸長よりも大きな度合いでもたらされる。
【００８３】
更に他の例においては、主移動方向における皮膚の伸長は、主移動方向に垂直な方向における皮膚の伸長と同様な度合いでもたらされる。
【００８４】
該脱毛要素の前方における皮膚に対する伸長効果が、約４５°の角度で引き起こされる一例が提供される。
【００８５】
主移動方向に垂直な方向における伸長が大きな度合いでもたらされる、上述した他の例においては、皮膚は主移動方向に対して側方に主に伸長される。
【００８６】
図６Ａ及び６Ｂに任意に示されるように、少なくとも２つの先行面部１８ａ及び１８ｂは、主移動方向２６に対して傾いた角度で、及び／又は、該先行面部の延在の主な方向に対して傾いた角度で備えられた、隆線５４を持つ、表面構造を備えられる。隆線５４は、皮膚に対する押し効果をもたらし、該効果を支援する。
【００８７】
更なる例においては、少なくとも２つの先行面部１８ａ及び１８ｂは、皮膚面に沿って動いているときに水放散効果をもたらすことが可能な柔軟な表面材料を持つ柔軟な面５６を備えられる。
【００８８】
更なる例においては、少なくとも２つの先行面部は、図８において二重矢印６０により示されるように、弾力的な態様で備えられる。支持構造に対する該弾力性は、分散された接触圧力を持つ皮膚接触を実現するよう備えられる。
【００８９】
該皮膚接触は、分散された接触圧力で提供され得る。一例においては、皮膚伸長装置、例えば先行面部は、ばね負荷をかけられた支持部を備える。更なる例においては、これに加えて又は代替として、皮膚伸長装置は、柔軟な、即ち弾力性のあるフレーム構造を備える。
【００９０】
一例においては、少なくとも２つの先行面部は、ヒンジ又はジョイント（更には図示されない）のような、柔軟な接続部により支持される。
【００９１】
少なくとも２つの先行面部を可動となるよう設計することにより、皮膚伸長部が、皮膚の表面構造、又は皮膚の３次元の輪郭に合致することを可能とできる。それ故、少なくとも２つの先行面部は、快適な態様で皮膚に当接することができる。
【００９２】
一例においては、皮膚接触部とは反対側、即ち毛が除去される部分の背後において、少なくとも１つの更なる皮膚接触部が備えられる。例えば、該更なる皮膚接触部は、該装置が好適な角度に手動で設定されることを可能とする、滑動支持面として機能する、２つのセグメント６２として備えられても良い。該更なる皮膚接触部は、滑動支持を可能とするためスキー式部分の形で備えられても良い。該更なる皮膚接触部は、柔軟なヒンジ又はジョイントのような、支持構造又は筐体に対する柔軟な接続部を備えても良い。
【００９３】
更なる例においては、図１に任意に示されるように、少なくとも２つの先行面部は、皮膚の伸長に後続した脱毛のため皮膚が伸長される動作領域として、皮膚の領域６４を境界付ける。
【００９４】
更なる例においては、動作領域６４に存在する皮膚の少なくとも一部を照明するための、照明６６が備えられる。例えば、照明６６は、先行面部に内蔵されていても良い（図１において更には図示されない）。
【００９５】
以上に示されたように、脱毛構成１２は、主軸３２に平行に延在する長軸を持つ、毛抜きシリンダのような、脱毛要素を有する。該装置の主移動方向２６は、該脱毛構成の長軸に垂直である。以上に示されたように、該脱毛構成は、毛抜き器、シェーバ又はトリマであっても良い。
【００９６】
毛抜き器においては、該脱毛要素は、長軸のまわりに回転可能であり、毛を捕捉しクランプし皮膚から引き抜くための幾つかの毛クランプ部材を持つ、毛抜きシリンダである。
【００９７】
シェーバにおいては、該脱毛要素は、少なくとも１つの毛切断部材を備えたシェービングヘッドである。
【００９８】
更なる例においては、主移動方向２６に垂直であり主軸３２に平行な方向でみて、該脱毛構成は、第１の長さ７０を持ち、少なくとも２つの先行面部１８ａ及び１８ｂはそれぞれ、該脱毛構成の第１の長さ７０の少なくとも２０％である第２の長さ６８ａ、６８ｂを持つ。このことは図６ｂに示されており、ここでは２つの先行面部１８ａ及び１８ｂの各々が、参照番号６８ａ及び６８ｂにより示されるそれぞれの距離に亘って、主軸３２に平行な方向に延在し、（図示されていない）毛抜きシリンダ（又はロール部）が、参照番号７０により示される距離に亘って、主軸３２に平行な方向に延在している。他の例においては、長さ６８ａ、６８ｂの各々と長さ７０との比は、少なくとも３０％、例えば４０％、５０％、６０％、７０％又はその他の値である。
【００９９】
以上に示されたように、一態様によれば、主移動方向に垂直な方向における皮膚の伸長は、皮膚を側方に押す皮膚伸長器の特定の船型又は船体型形状の結果として達成される。皮膚の当該側方への伸長は、皮膚伸長器に主移動方向に対して或る角度を持って延在する隆線を備えることにより、増大させられる。皮膚を主移動方向に対して垂直な方向に伸長させることにより、皮膚は該脱毛装置の前方において主移動方向において前方に押されるのみならず、主に側方に押される。
【０１００】
伸長構成を備えることにより、容易に行えるものではなくユーザに不快なものとなる、皮膚を手動で伸長させること、がもはや必要ではなくなる。
【０１０１】
以上に説明されたように、摩擦を増大させるため及び湿った使用において水を放散させるため、柔軟な材料が用いられても良い。例えば、これら材料は、ゴム、エラストマ、発泡プラスチック等からつくられたものであっても良い。皮膚伸長器は、ゴム状の材料からつくられた場合には、使用時に、全体又は特定の場所が曲がり、これにより身体の輪郭に追従することを可能としても良い。例えば閉じた弓型の構造の形をとる、皮膚伸長構成により、前記した垂直方向の皮膚伸長が、脱毛ストロークの長さにかかわらず継続的に皮膚を伸長させることに帰着する。
【０１０２】
皮膚の伸長に影響を与える更なるパラメータとして、皮膚伸長器のための種々の表面構造が提供されても良い。例えば、粗い構造は、毛及び皮膚の小さな不均一に対する向上した把持を提供する。
【０１０３】
以上に示されたように、皮膚伸長器は、皮膚を張らせる。張られた皮膚は、例えば、皮膚の弾力性が減少させられ、それにより神経が位置する皮膚の変形を低減させるため、脱毛の際にあまり痛みのないものとなることは、更に留意されたい。張られた皮膚は、皮膚のドーム形成を起こしにくくなる。トリマ、回転シェーバ又はホイルシェーバ等のような切断要素との皮膚の接触が防止され、鋭い要素が皮膚を傷つける可能性が低くなる。更に、平らに倒れた毛は一般的に不快なものであり、捕捉が困難であるため脱毛が困難である。本発明による皮膚伸長器は、毛並みに対して皮膚伸長部を移動させ、平らな毛を後方に折り、その後に脱毛又は切断されるよう起立させる。このことは、所望の結果を得るために少ないストロークで済むようになるため、効率を更に向上させ、また痛み及び皮膚の損傷を低減させる。
【０１０４】
本発明の実施例は、種々の主題を参照しながら説明されたことは留意される必要がある。しかしながら、当業者は、他の言及がない限りは、以上及び以下の説明から、或るタイプの主題に属する特徴のいずれかの組み合わせに加え、別の主題に関連する特徴のいずれかの組み合わせもが、本出願により開示されたものとみなされることを推察するであろう。しかしながら、全ての特徴は、組み合わせられて単純な特徴の合計を上回る相乗効果を提供し得る。
【０１０５】
本発明は図面及び以上の記述において説明され記載されたが、斯かる説明及び記載は説明するもの又は例示的なものであって限定するものではない。本発明は、開示された実施例に限定されるものではない。図面、説明及び添付される請求項を読むことにより、請求される本発明を実施化する当業者によって、開示された実施例に対する他の変形が理解され実行され得る。
請求項において、「有する（comprising）」なる語は他の要素又はステップを除外するものではなく、「１つの（a又はan）」なる不定冠詞は複数を除外するものではない。単一のプロセッサ又はその他のユニットが、請求項に列記された幾つかのアイテムの機能を実行しても良い。特定の手段が相互に異なる従属請求項に列挙されているという単なる事実は、これら手段の組み合わせが有利に利用されることができないことを示すものではない。請求項におけるいずれの参照記号も、請求の範囲を限定するものとして解釈されるべきではない。
【図１】
2017504419.tif 000003
【図２】
2017504419.tif 000004
【図３】
2017504419.tif 000005
【図４】
2017504419.tif 000006
【図５】
2017504419.tif 000007
【図６ａ】
2017504419.tif 000008
【図６ｂ】
2017504419.tif 000009
【図７】
2017504419.tif 000010
【図８】
2017504419.tif 000011
【手続補正書】
【提出日】平成28年7月15日(2016.7.15)
【手続補正１】
【補正対象書類名】明細書
【補正対象項目名】全文
【補正方法】変更
【補正の内容】
【発明の詳細な説明】
【技術分野】
【０００１】
本発明は、脱毛に関し、特にハンドヘルド型脱毛装置に関する。
【背景技術】
【０００２】
例えば腕又は脚の皮膚部分のような身体面から脱毛することは、知られている。斯かる脱毛のため、ハンドヘルド型のモータ駆動型装置が使用される。例えば、モータ駆動型の毛抜き器又はシェーバが広く用いられている。しかしながら、脱毛は、ユーザが痛みを経験し得る手順となり得る。国際特許出願公開WO2009/150607A1において、毛が皮膚から抜かれる直前（又は脱毛の後）に皮膚に対する刺激が、マッサージローラを持つ毛抜き器の形で提供される。該マッサージローラは、互いに対してＶ字型に配置された単純なマッサージ要素の対を有する。更なる例として、国際特許出願公開WO2009/104124A2は、振動のための毛抜き器の駆動手段に結合された交換可能なキャップを備えた毛抜き器であって、該毛抜き器のユーザが皮膚において振動を体感するようにされた毛抜き器を記載している。該振動は、脱毛される前に、皮膚が少なくとも部分的に麻痺させられるようにし得る。更なる例として、皮膚の表面上でシェーバのせん断ヘッドをより滑らかに動かすため、米国特許US3127675は、せん断ヘッドに平行に装着された皮膚伸長器を記載している。該伸長器の皮膚当接部とシェービングヘッドとの間に、調節可能な間隙が提供される。該皮膚伸長器端が該間隙の形状を定義し、皮膚がどれだけ伸長されるかを調節することを可能とし、例えば、間隙を中間部において広くなるよう適合させることにより、該皮膚伸長器の中間部において、あまり大きくない皮膚の伸長が実現される。しかしながら依然として脱毛の間、幾分不快である程度に痛みが体感され得る。
【発明の概要】
【発明が解決しようとする課題】
【０００３】
斯くして、脱毛を更に容易化しユーザフレンドリ性を増大させるニーズが存在し得る。
【課題を解決するための手段】
【０００４】
本発明の目的は、独立請求項の主題により達成され、更なる実施例が、従属請求項において組み込まれる。
【０００５】
本発明の第１の態様によれば、ハンドヘルド型脱毛装置であって、前記装置が使用の間に皮膚に対して動かされる主移動方向と、動作の間にユーザの皮膚に接触するための皮膚接触部を有する脱毛構成と、前記脱毛構成を支持するための支持構造と、皮膚伸長装置と、を有する脱毛装置が提供される。前記皮膚接触部は、前記主移動方向に垂直に延在する主軸に少なくとも沿って延在する。前記皮膚伸長装置は、前記支持構造に装着され、皮膚と接触し皮膚を伸長させるための少なくとも２つの先行面部を有する。前記少なくとも２つの先行面部はそれぞれ、皮膚接触面部を備える。前記少なくとも２つの先行面部は、基線を有し前記主移動方向に平行に延在する仮想面でみて、前記基線に対し少なくとも２０°で反対方向に傾斜して配置され、前記基線は、前記主移動方向に垂直で前記主軸に平行な線である。前記皮膚接触面部は、前記仮想面でみて、少なくとも２０°の角度だけ前記基線に対して傾斜した延在の主方向を持つ。前記主移動方向において、前記先行面部は、互いに対して向けられている。動作位置において、前記皮膚伸長装置は、前記主移動方向に対して前記皮膚接触部の前方に配置される。前記少なくとも２つの先行面部は、動作の間、皮膚に接触させられ、前記主移動方向に平行な第１の方向において、皮膚の面に平行な第１のベクトルと、前記主移動方向に垂直な第２の方向において、皮膚の面に平行な第２のベクトルと、を持つ押し力を皮膚に作用させるよう構成及び配置される。
【０００６】
有利にも、該皮膚伸長器は、皮膚のドーム形成の度合いを低減させ、脱毛工程の位置において皮膚を張らせる。低減された度合いのドーム形成は、例えば毛抜き器の回転毛抜きシリンダ又はシェービング若しくはトリミング用の刃を有する脱毛構成による皮膚における摩擦も低減させる。更なる利益として、該皮膚伸長器は、脱毛工程において捕捉することが困難である平坦に倒れた毛を持ち上げる。
【０００７】
先行面部は、該装置が動作の間に主移動方向において皮膚上を動かされているときに、皮膚に接触する第１の部分である、皮膚伸長装置の部分に関連する。
【０００８】
該先行面部は、皮膚接触及び伸長部とも呼ばれ得る。
【０００９】
動作の間、該皮膚伸長装置は、少なくとも２つの先行面部間に伸長された皮膚部をもたらす。
【００１０】
有利にも、皮膚は、該脱毛装置の主移動方向と、該脱毛装置の主移動方向に垂直な方向と、の両方において伸長される。主移動方向における皮膚の伸長は、２つの先行面部により主移動方向において前方に皮膚を押すことによって、また更に少なくとも或る程度は、皮膚伸長装置と皮膚との間の摩擦の結果として、達成される。主移動方向に垂直な方向における皮膚の伸長は、先行面部の傾いた構成の結果として達成され、該傾いた構成は、皮膚が主移動方向から逸れるよう押されるようにする。
【００１１】
斯くして、該押し力は２つのベクトル又は成分を持つ。それ故、該押し力は、２ベクトル押し力、又は２つの異なる方向に成分を持つ押し力と呼ばれ得る。斯くして、該押し力は、二方向の伸長をもたらす。従って、皮膚伸長装置は、二方向皮膚伸長装置である。
【００１２】
一例においては、基線に対する先行面部の傾斜は、少なくとも３０°であり、より好適には少なくとも４５°である。該先行面部は、１２０°以下（例えば９０°）で当接する位置において前方部又は弓部を形成し得る。
【００１３】
一例において、皮膚接触部は、幾何学的な広がりを持ち、例えば円形のような丸みのあるシェービングヘッドの場合、丸みのある皮膚接触部となる。
【００１４】
一例によれば、前記少なくとも２つの先行面部はそれぞれ、弓型構造の少なくとも一部を形成するよう、前記支持構造から延在する。
【００１５】
「弓型」なる語は、弓の高さ、即ち基線からの該弓の伸長が、基線の長さの少なくとも４分の１である形状に関連する。
【００１６】
一例によれば、前記少なくとも２つの先行面部はあわせて、開いた前方部を持つ弓型構造を形成するよう備えられる。
【００１７】
換言すれば、前方部は該先行面部により形成されないため、該弓は仮想的な弓である。
【００１８】
一例においては、前記少なくとも２つの先行面部は、閉じた前方部を持つ弓型構造として備えられる。
【００１９】
弓型構造は、第１の及び第２のベクトルを持つ押し力を提供するという利点を持つ。
【００２０】
一例によれば、前記少なくとも２つの先行面部は、前記主移動方向において前方に面する外形に対する凸状構造を備える。
【００２１】
有利にも、皮膚面が前方方向に押され、ユーザの快適な体感を向上させる態様で側方にも押される。
【００２２】
一例によれば、前記押し力の第２のベクトルの大きさは、前記押し力の第１のベクトルの大きさの、少なくとも２５％である。その結果、前記少なくとも２つの先行面部は、主移動方向における皮膚の伸長の度合いの少なくとも２５％である、主移動方向に垂直な方向における皮膚の伸長の度合いをもたらす。
【００２３】
一例によれば、前記押し力の第２のベクトルの大きさは、前記押し力の第１のベクトルの大きさよりも大きく、これにより、主移動方向に垂直な方向における皮膚の伸長の度合いが、主移動方向における皮膚の伸長の度合いよりも大きくなる。
【００２４】
主移動方向に垂直な方向に、即ち側方に、より皮膚を伸長させることは、更に容易化され改善された脱毛を実現する。
【００２５】
一例によれば、前記脱毛構成は、前記主移動方向に垂直に延在する長軸を持つ脱毛要素を有する。該脱毛装置は、毛抜き器又はシェーバである。毛抜き器である場合、該脱毛要素は、該長軸のまわりに回転可能であり、毛を捕捉しクランプし皮膚から引き抜くための幾つかの毛クランプ部材を持つ、毛抜きシリンダである。該脱毛装置がシェーバである場合、前記脱毛要素は、少なくとも１つの毛切断部材を備えたシェービングヘッドである。
【００２６】
他の例においては、前記脱毛構成は、丸みのある形状を持つ脱毛要素を有する。例えば、該丸みのある脱毛要素は、丸みのあるシェービングヘッドである。
【００２７】
一例によれば、主軸に平行な方向でみて、前記脱毛構成は第１の長さを持ち、前記少なくとも２つの先行面部はそれぞれ、前記脱毛構成の第１の長さの少なくとも２０％である第２の長さを持つ。本例においては、「長さ」なる表現は、該脱毛構成及び該先行面部がそれぞれ主軸に平行な方向に延在する距離を意味し、それぞれ、主軸に平行な方向でみた該脱毛構成及び該先行面部における２つの最終位置の間の距離に対応する。本例においては、該先行面部はそれぞれ、該脱毛構成が主軸に平行に延在する長さの少なくとも２０％である、主軸に平行な長さに亘って延在するため、該２つの先行面部は、動作の間に該脱毛構成の前方である皮膚面のかなりの部分に皮膚伸長効果をもたらす。
【００２８】
本発明による装置による脱毛工程においては、上述した例のひとつによるハンドヘルド型脱毛装置が、除去されるべき毛を持つ皮膚面に沿って動かされる。その結果、皮膚の一部が、皮膚伸長装置によって伸長される。次いで、該伸長された皮膚部分から毛が除去される。有利にも、伸長された皮膚部分からはあまり痛みを伴わずに毛が除去されることができ、脱毛が容易化される。
【００２９】
本発明のこれらの及び他の態様は、以下に説明される実施例を参照しながら説明され明らかとなるであろう。
【００３０】
本発明の実施例は、以下の図面を参照しながら、以下に説明される。
【図面の簡単な説明】
【００３１】
【図１】本発明によるハンドヘルド型脱毛装置の例の模式的な斜視図を示す。
【図２】図１の装置の更なる斜視図を示す。
【図３】図１及び２の装置の更なる斜視図を示す。
【図４】脱毛機構及び皮膚伸長装置を示す、図１乃至３の装置の模式的な図を示す。
【図５】本発明によるハンドヘルド型脱毛装置の隣に、脱着された皮膚伸長装置を示す。
【図６（Ａ）】第１の例における皮膚伸長装置の詳細を示す。
【図６（Ｂ）】第２の例における皮膚伸長装置の詳細を示す。
【図７】本発明によるハンドヘルド型脱毛装置の動作の間の態様の模式的な図を示す。
【図８】本発明によるハンドヘルド型脱毛装置の更なる例を示す。
【発明を実施するための形態】
【００３２】
図１は、脱毛構成１２（図３及び４に更に示される）、該脱毛構成を支持するための支持構造１４（更に詳細には図示されない）、及び支持構造１４に装着され少なくとも２つの先行面部１８ａ及び１８ｂを有する皮膚伸長装置１６を有する、ハンドヘルド型脱毛装置１０を示す。図１において、脱毛装置１０は、動作の間の構成に類似した、面に対して直立した位置に示されている。
【００３３】
図３を参照すると、脱毛構成１２は、動作の間にユーザの皮膚に接触するための皮膚接触部３０を有する。皮膚接触部３０は少なくとも、使用の間に皮膚に対して装置１０が動かされる主移動方向２６（図１に示される）に垂直に延在する主軸２３に沿って延在する。主軸３２は、図７の図面の平面に垂直、即ち紙面に垂直であることに留意されたい。
【００３４】
主移動方向２６に平行に延在し基部２７を有する仮想面でみて、該少なくとも２つの先行面部は、基線２７と少なくとも２０°の傾斜角αの対角に配置され、ここで該基線は、該装置の主移動方向２６に垂直で、且つ脱毛構成１２の皮膚接触部３０の主軸３２に平行な線である。図１において、主移動方向２６の軸が基線２７と交差しており、前記仮想面は、基線２７及び主移動方向２６の軸を通って延在する面である。図１に示されるように、傾斜の角度αは、当該仮想面のなかに存在する。更に、主移動方向２６において、該先行面部は、互いに向けられる。更に、動作位置においては、該皮膚伸長装置は、主移動方向に対して皮膚接触部の前方となるように配置される。
【００３５】
該先行面部は、該装置の前方の皮膚が伸長されるような態様で、主移動方向において前方に皮膚を押す。
【００３６】
脱毛装置１０は、人間の皮膚における体毛を機械的に除去するためのハンドヘルド型装置である。該脱毛装置は、個人向けの利用のための家庭用電気機器であっても良い。該脱毛装置はまた、プロフェッショナルな脱毛スタジオ又はその他の施設におけるような、プロフェッショナル向けの利用のための電気機器であっても良い。
【００３７】
一例においては、図に示されるように、該装置は毛抜き器である。
【００３８】
更なる例においては、図には更には示されないが、該装置はシェーバ又はトリマである。
【００３９】
「体毛」なる語は、人間の身体の表面における毛に関する。従って、体毛は頭髪とは区別される。該脱毛装置の意図される用途は、主に体毛の除去であるが、頭髪も、少なくとも理論的には、該装置によって除去され得る。
【００４０】
「支持構造」は、本体構造とも呼ばれ、該装置の種々の要素が装着される支持構造に関する。支持構造１４は、図に示されるように、筐体構造２０により少なくとも部分的に囲まれた別個の構造として備えられても良い。支持構造１４は、１つの構造的な要素として備えられても良いし、又は、互いに対して物理的に直接若しくは間接的に結合された幾つかの構造的な部品又は要素として備えられても良い。
【００４１】
支持構造１４は、長細の支持部又は本体部構造として備えられても良い。「長細」なる語は、優位な長手方向の長さを持つ、即ち或る方向において該方向を横切る方向よりも長い長さを持つ構造に関する。支持構造１４は、人間工学的に適切な形状を備えた長手方向の形状を持っても良い。「人間工学的に適切」なる語句は、好適には片手での操作のため、ユーザによるハンドヘルド型の動作のために適合された形状に関する。
【００４２】
支持構造１４は、該装置の把持部又はハンドル部として、即ち該装置の手動の操作のためユーザの手により把持され得る部分として、構成されても良い。「手動の操作」なる語句は、該装置の手動の操作に関し、例えばバッテリにより動作させられるような機械的に実行され得る脱毛の手順には関連しない。
【００４３】
把持部２０は、該装置を保持するため備えられる。把持部２０は、本体構造に接続され、主移動方向において皮膚に対して該装置を手動で動かすため、及び皮膚に対して該装置を手動で押し付けるために、該装置に沿って備えられる。
【００４４】
「把持部」は、該脱毛装置を手動で保持するためユーザにより用いられ得る該装置の領域に関する。把持部は、安定的な手による保持、及び該装置の動作の間に適切な手の感覚を提供する、ゴム部又はその他の適切な材料により被覆された面のような、別個の把持面を備えた筐体の一部であっても良い。
【００４５】
「沿って」なる語は、外側筐体面の領域の中央部におけるような、又は該脱毛装置が備えられる端とは反対側の該装置の端におけるような、該装置の外側面における配置に関する。本体構造の「端」は、長細構造の短い端又は面のような、該装置の端部又は端領域に関する。
【００４６】
更に、図２に示されるように、制御スイッチ２２が備えられても良く、制御又は動作照明２４が追加されても良い。更に、例えば該装置に内蔵された充電可能なバッテリを充電するための、電源ケーブルに接続するためのソケット２３が備えられても良い。
【００４７】
ここで図７を参照すると、動作の間、装置１０の主移動方向２６が示される。主移動方向２６は、例えば毛が除去されるべき皮膚部分２８に対して示される。
【００４８】
垂直方向の伸長がない場合、毛抜き器を前方に動かすことにより、皮膚は長手方向に伸長され、これにより、該毛抜き器の前方への押し及び関連する摩擦が、該毛抜き器の速度Ｖｅｐｉｌａｔｏｒの１／ｘ倍で皮膚を該毛抜き器に沿って動かす。その結果、Ｖｓｋｉｎ＝Ｖｅｐｉｌａｔｏｒ／ｘとなる。ｘの値はストロークに依存し、最初は皮膚は同じ速度で動き、即ちｘ＝１である。また、皮膚は周囲の皮膚に付着されているため、無制限に押されることはできない。ｘの値はｘ＞１となるまで急速に増大し、該毛抜き器が動くセンチメートル毎に、皮膚のセンチメートルは該構造の下を通過する。比較的緩い皮膚の場合、皮膚伸長器は、該皮膚伸長器の前方における弓型の波の上を越える。しかしながら、垂直な伸長の場合には、皮膚は皮膚伸長器によって前方には押されず、主に側方に押される。
【００４９】
脱毛に関しては、皮膚を伸長することにより、皮膚は張られた状態となり、それにより、ディスクにより毛が引っ張られるときの皮膚のドーム形成が低減され、あまり痛みを引き起こさなくなる。減少させられた接触面積のため、ディスクによる皮膚に対する摩擦も低減される。シェーバの場合には、伸長器は、トリマの歯の先端による皮膚への損傷を防止し、トリマの歯、ホイル及び層板の間の皮膚ドーム形成を防止することができる。
【００５０】
少なくとも２つの先行面部１８ａ及び１８ｂはそれぞれ、３４ａ及び３４ｂで示された皮膚接触部３４を備える。主移動方向２６に平行に延在し基線２７を有する仮想面でみて、皮膚接触部３４は、主軸３２に平行に延在する基線と少なくとも２０°の傾斜の角度で配置された２つの皮膚接触部の一方３４ａについて二重矢印３６により示された、延在の主方向を持つ。
【００５１】
図において選択肢として示される一例においては、少なくとも２つの先行面部１８ａ及び１８ｂは、弓型構造５０の少なくとも一部として支持構造から延在する。
【００５２】
更なる例においては、少なくとも２つの先行面部１８ａ及び１８ｂは、開いた前方部を備えた弓型構造５０として備えられる。
【００５３】
更に他の例においては、少なくとも２つの先行面部１８ａ及び１８ｂは、閉じた前方部を備えた弓型構造５０として備えられる。
【００５４】
一例においては、該先行面部は、例えば図４に示されるような、尖った弓型構造として備えられる。他の例においては、該先行面部は、緩い弓型構造として備えられる。該弓型の構造は、半円形の幾何形状、放物線状、又は双曲線状のような、弓型の形状を持つ構造に関する。弓型の構造はまた、Ｖ字型の形をとる半円形の腕部を有しても良い、Ｖ字型の弓（更には示されない）に関連しても良い。Ｖ字型の弓は、Ｖ字型の形をとる直線の腕部を有しても良い。更なる例においては、Ｖ字型の腕部は、動作の間に皮膚に作用する押し力が生成され得る限り、組み合わせとして又は自由な幾何学的形状として備えられる。
【００５５】
図４は、下方からみた脱毛装置１０（図１の直立構成に関連して）を示し、即ち図４は、該装置が置かれた皮膚からみた脱毛装置１０を示す。
【００５６】
一例においては、少なくとも２つの先行面部は、図６Ｂに示されるように開いたＶ字形状を持つよう備えられる。図６Ｂにおいては、毛抜きシリンダが示されていないことに留意されたい。
【００５７】
他の例においては、少なくとも２つの先行面部は、図６Ａに示されるように閉じたＶ字型の弓型部として備えられる。
【００５８】
一例においては、少なくとも２つの先行面部は、単一部品の接触及び伸長要素として備えられ、即ち、該少なくとも２つの先行面部は、単一部品の接触及び伸長要素に備えられる。
【００５９】
一例においては、該脱毛装置は、図５に示されるような、該装置のヘッド部に備えられる。少なくとも２つの先行面部１８は、主移動方向２６に対して前方方向において該ヘッド部から延在するよう備えられる。
【００６０】
一例においては、該少なくとも２つの先行面部は、船体の前方部の形をとって備えられ、即ち船首の形をとる。船の長軸（即ち船の直線の前方方向に等しい方向）はこのとき、主移動方向に整合される。
【００６１】
一例においては、３個以上（例えば４個、５個若しくは６個又はそれ以上）の接触及び伸長部が備えられる（更には示されない）。
【００６２】
図において選択肢として示される更なる例においては、少なくとも２つの先行面部１８は、主移動方向２６において前方に面する外形に対する凸状構造を備える。
【００６３】
図５に示されるように、一例においては、該少なくとも２つの先行面部は、可動的な態様で支持構造に装着され、少なくとも皮膚接触圧力の方向における該支持構造に対する該少なくとも２つの先行面部の相対運動を可能とする。該可動的な態様は、例えば５°、１０°又は１５°のような、少なくとも小さな度合いの屈曲を可能とする。
【００６４】
更なる例によれば、即ち一選択肢として、該皮膚伸長装置は、支持構造に着脱可能に装着される。好適には、支持構造に着脱可能に装着されることができる複数の皮膚伸長装置が備えられる。備えられる複数の皮膚伸長装置は、サイズ、形状及び材質のうち少なくとも１つが異なる。
【００６５】
一例においては、該皮膚伸長装置は、一時的に脱着されても良い。更なる例においては、該皮膚伸長装置は、伸長位置と、皮膚がもはや短縮又は伸長されない保持又は停止位置との間で、動かされても良い。このことは例えば、支持構造における滑動支持部又は枢動支持部によって実現されも良い（更には図示されない）。
【００６６】
一例においては、種々の皮膚伸長装置のひとつを一時的に装着するためのクリッピング構成が備えられる。
【００６７】
更なる例においては、図５において選択肢として示されるように、支持構造又は筐体構造に装着され得る、キャップ５８が備えられる。少なくとも２つの先行面部１８は、該キャップに装着される。該キャップは、図５に示されるように、着脱可能であっても良い。
【００６８】
本発明によれば、動作の間、少なくとも２つの先行面部１８ａ及び１８ｂは、主移動方向２６に平行な第１の方向Ｙにおいて、皮膚面に平行な第１のベクトル３８を持つ押し力４２で、皮膚に作用するよう、皮膚に接触させられる。押し力４２は、主移動方向２６に垂直な第２の方向Ｘにおいて、同様に皮膚面に平行な第２のベクトル４０も持つ。（実質的な）押し力は、図６Ａにおいて更に示されている。しかしながら、該押し力のそれぞれの説明は、特に図６Ｂに示された例のような、他の実施例についても適用可能であることに留意されたい。
【００６９】
図６Ａに示されるように、押し力４２は斯くして、結果の力として作用し、結果の力Ｆとも示される。
【００７０】
以上に示されたように、動作位置において、皮膚伸長装置１６は、主移動方向２６に対して、図７に示されるように、皮膚接触部３０の前方に配置される。動作の間、皮膚伸長装置は、少なくとも２つの先行面部１８ａ、１８ｂ間において伸長された皮膚部をもたらす。
【００７１】
本発明によれば、皮膚接触面部３４ａ、３４ｂのそれぞれは、基線２７を有し主移動方向２６に平行な仮想面でみて、主軸３２及び該主軸に平行に延在する基線に対して傾いた、及びその結果、主移動方向２６に対して傾いた、長さの主方向を持つ。
【００７２】
皮膚接触面部は、皮膚当接面部とも示され得る。
【００７３】
「傾いた（傾斜した）」なる語は、横方向の構成、即ち、主移動方向に整合しておらず（即ち平行でなく）、主移動方向に対して垂直でもない構成、又は、主軸に垂直ではなく、主軸に整合もしていない（即ち平行ではない）構成に関する。
【００７４】
以上に示されたように、「脱毛構成」なる語は、脱毛要素とも示され、例えば切断、トリミング又は脱毛により、体毛を除去する要素に関する。該装置が脱毛要素である場合、単に例として図に模式的に示されたように、脱毛構成１２は、脱毛要素である。例えば、脱毛要素は、主軸３２に平行に延在する長軸のまわりに回転可能であり、図３に示されるように、毛を捕捉しクランプし皮膚から引き抜くための幾つかの毛クランプ部材を持つ、毛抜きシリンダである。
【００７５】
該機器がシェーバ又はトリマである場合、該脱毛構成は、シェーバ又はトリマ要素である。例えば該シェーバ又はトリマ要素は、少なくとも１つの毛切断部材を備えたトリミング又はシェービングヘッドであっても良い。
【００７６】
「主移動方向」は、主脱毛方向とも示され、該装置により除去される必要がある毛が存在する皮膚の位置に対して該装置が動かされるべき方向に関する。斯くして、主移動方向は、相対的な方向である。一例においては、脱毛構成が、把持部とあわせて、主移動方向を定義する。換言すれば、主移動方向は、脱毛構成自体により定義され、通常の、予め規定された又は最適な動作のために、皮膚に対してユーザが該装置を動かす必要がある方向に対応する。例えば、脱毛構成は、直線の軸又は長細の形状即ち長手方向の寸法を持つ形状を持っても良く、これにより、主移動方向が、該直線の軸又は長手方向に垂直となっても良い。例えば、主移動方向は、該長手方向に垂直である。このことは、脱毛動作の間の最大のカバー範囲をもたらす。
【００７７】
動作の間、図７に示されるように、該装置は相対移動速度Ｖｅｐｉｌａｔｏｒで動かされ、又はより一般的には、該装置は主移動方向２６に動かされる。押し動作及び更には先行面部１８の摩擦により、相対運動４６又はＶｓｋｉｎは、面即ち皮膚２８に沿ったものであるが側方に向けられたベクトル成分を持つ摩擦運動により、ユーザの皮膚にもたらされる。
【００７８】
図６Ａにおいて、結果的な皮膚の構造が、皮膚のリップル４４についての模式的な線により示される。皮膚のリップル４４の構成は、押し力４２、即ち結果の力Ｆの方向に皮膚が押されていることを反映する。
【００７９】
図において一選択肢として示されている更なる例においては、少なくとも２つの先行面部１８は、主移動方向２６に対して、図７に示されるように、隆起した前方部５２を備えた表面構造を備えられる。一例においては、該前方部は、該先行面部の長さの約５％に亘って、若しくは１０％、１５％、２０％、２５％、３０％、４０％、５０％に亘って又はこの間のいずれかの値で延在する、先端部として備えられる。
【００８０】
上述したように、一例においては、押し力４２の第２のベクトルの大きさは、押し力４２の第１のベクトルの大きさの、少なくとも２５％である。その結果、少なくとも２つの先行面部１８ａ及び１８ｂは、主移動方向２６に垂直な方向Ｘにおける皮膚伸長の度合いが、該主移動方向に平行な方向Ｙにおける皮膚伸長の度合いの少なくとも２５％となるような、皮膚の伸長をもたらす。換言すれば、少なくとも主移動方向２６に垂直な方向Ｙに特に皮膚が伸長されるような度合いで、側方の伸長がもたらされる。
【００８１】
他の例においては、押し力４２の第２のベクトルの大きさは、押し力４２の第１のベクトルの大きさよりも大きく、これにより、主移動方向２６に垂直な方向Ｘにおける皮膚の伸長が、主移動方向２６に平行な方向Ｙにおける皮膚の伸長を上回るようにもたらされる。換言すれば、前方よりも側方に伸長がもたらされる。
【００８２】
他の例においては、主移動方向における皮膚の伸長は、主移動方向に垂直な方向における皮膚の伸長よりも大きな度合いでもたらされる。
【００８３】
更に他の例においては、主移動方向における皮膚の伸長は、主移動方向に垂直な方向における皮膚の伸長と同様な度合いでもたらされる。
【００８４】
該脱毛要素の前方における皮膚に対する伸長効果が、約４５°の角度で引き起こされる一例が提供される。
【００８５】
主移動方向に垂直な方向における伸長が大きな度合いでもたらされる、上述した他の例においては、皮膚は主移動方向に対して側方に主に伸長される。
【００８６】
図６Ａ及び６Ｂに任意に示されるように、少なくとも２つの先行面部１８ａ及び１８ｂは、主移動方向２６に対して傾いた角度で、及び／又は、該先行面部の延在の主な方向に対して傾いた角度で備えられた、隆線５４を持つ、表面構造を備えられる。隆線５４は、皮膚に対する押し効果をもたらし、該効果を支援する。
【００８７】
更なる例においては、少なくとも２つの先行面部１８ａ及び１８ｂは、皮膚面に沿って動いているときに水放散効果をもたらすことが可能な柔軟な表面材料を持つ柔軟な面５６を備えられる。
【００８８】
更なる例においては、少なくとも２つの先行面部は、図８において二重矢印６０により示されるように、弾力的な態様で備えられる。支持構造に対する該弾力性は、分散された接触圧力を持つ皮膚接触を実現するよう備えられる。
【００８９】
該皮膚接触は、分散された接触圧力で提供され得る。一例においては、皮膚伸長装置、例えば先行面部は、ばね負荷をかけられた支持部を備える。更なる例においては、これに加えて又は代替として、皮膚伸長装置は、柔軟な、即ち弾力性のあるフレーム構造を備える。
【００９０】
一例においては、少なくとも２つの先行面部は、ヒンジ又はジョイント（更には図示されない）のような、柔軟な接続部により支持される。
【００９１】
少なくとも２つの先行面部を可動となるよう設計することにより、皮膚伸長部が、皮膚の表面構造、又は皮膚の３次元の輪郭に合致することを可能とできる。それ故、少なくとも２つの先行面部は、快適な態様で皮膚に当接することができる。
【００９２】
一例においては、皮膚接触部とは反対側、即ち毛が除去される部分の背後において、少なくとも１つの更なる皮膚接触部が備えられる。例えば、該更なる皮膚接触部は、該装置が好適な角度に手動で設定されることを可能とする、滑動支持面として機能する、２つのセグメント６２として備えられても良い。該更なる皮膚接触部は、滑動支持を可能とするためスキー式部分の形で備えられても良い。該更なる皮膚接触部は、柔軟なヒンジ又はジョイントのような、支持構造又は筐体に対する柔軟な接続部を備えても良い。
【００９３】
更なる例においては、図１に任意に示されるように、少なくとも２つの先行面部は、皮膚の伸長に後続した脱毛のため皮膚が伸長される動作領域として、皮膚の領域６４を境界付ける。
【００９４】
更なる例においては、動作領域６４に存在する皮膚の少なくとも一部を照明するための、照明６６が備えられる。例えば、照明６６は、先行面部に内蔵されていても良い（図１において更には図示されない）。
【００９５】
以上に示されたように、脱毛構成１２は、主軸３２に平行に延在する長軸を持つ、毛抜きシリンダのような、脱毛要素を有する。該装置の主移動方向２６は、該脱毛構成の長軸に垂直である。以上に示されたように、該脱毛構成は、毛抜き器、シェーバ又はトリマであっても良い。
【００９６】
毛抜き器においては、該脱毛要素は、長軸のまわりに回転可能であり、毛を捕捉しクランプし皮膚から引き抜くための幾つかの毛クランプ部材を持つ、毛抜きシリンダである。
【００９７】
シェーバにおいては、該脱毛要素は、少なくとも１つの毛切断部材を備えたシェービングヘッドである。
【００９８】
更なる例においては、主移動方向２６に垂直であり主軸３２に平行な方向でみて、該脱毛構成は、第１の長さ７０を持ち、少なくとも２つの先行面部１８ａ及び１８ｂはそれぞれ、該脱毛構成の第１の長さ７０の少なくとも２０％である第２の長さ６８ａ、６８ｂを持つ。このことは図６ｂに示されており、ここでは２つの先行面部１８ａ及び１８ｂの各々が、参照番号６８ａ及び６８ｂにより示されるそれぞれの距離に亘って、主軸３２に平行な方向に延在し、（図示されていない）毛抜きシリンダ（又はロール部）が、参照番号７０により示される距離に亘って、主軸３２に平行な方向に延在している。他の例においては、長さ６８ａ、６８ｂの各々と長さ７０との比は、少なくとも３０％、例えば４０％、５０％、６０％、７０％又はその他の値である。
【００９９】
以上に示されたように、一態様によれば、主移動方向に垂直な方向における皮膚の伸長は、皮膚を側方に押す皮膚伸長器の特定の船型又は船体型形状の結果として達成される。皮膚の当該側方への伸長は、皮膚伸長器に主移動方向に対して或る角度を持って延在する隆線を備えることにより、増大させられる。皮膚を主移動方向に対して垂直な方向に伸長させることにより、皮膚は該脱毛装置の前方において主移動方向において前方に押されるのみならず、主に側方に押される。
【０１００】
伸長構成を備えることにより、容易に行えるものではなくユーザに不快なものとなる、皮膚を手動で伸長させること、がもはや必要ではなくなる。
【０１０１】
以上に説明されたように、摩擦を増大させるため及び湿った使用において水を放散させるため、柔軟な材料が用いられても良い。例えば、これら材料は、ゴム、エラストマ、発泡プラスチック等からつくられたものであっても良い。皮膚伸長器は、ゴム状の材料からつくられた場合には、使用時に、全体又は特定の場所が曲がり、これにより身体の輪郭に追従することを可能としても良い。例えば閉じた弓型の構造の形をとる、皮膚伸長構成により、前記した垂直方向の皮膚伸長が、脱毛ストロークの長さにかかわらず継続的に皮膚を伸長させることに帰着する。
【０１０２】
皮膚の伸長に影響を与える更なるパラメータとして、皮膚伸長器のための種々の表面構造が提供されても良い。例えば、粗い構造は、毛及び皮膚の小さな不均一に対する向上した把持を提供する。
【０１０３】
以上に示されたように、皮膚伸長器は、皮膚を張らせる。張られた皮膚は、例えば、皮膚の弾力性が減少させられ、それにより神経が位置する皮膚の変形を低減させるため、脱毛の際にあまり痛みのないものとなることは、更に留意されたい。張られた皮膚は、皮膚のドーム形成を起こしにくくなる。トリマ、回転シェーバ又はホイルシェーバ等のような切断要素との皮膚の接触が防止され、鋭い要素が皮膚を傷つける可能性が低くなる。更に、平らに倒れた毛は一般的に不快なものであり、捕捉が困難であるため脱毛が困難である。本発明による皮膚伸長器は、毛並みに対して皮膚伸長部を移動させ、平らな毛を後方に折り、その後に脱毛又は切断されるよう起立させる。このことは、所望の結果を得るために少ないストロークで済むようになるため、効率を更に向上させ、また痛み及び皮膚の損傷を低減させる。
【国際調査報告】
2017504419.tif 000012
2017504419.tif 000013